(57)【要約】【課題】壁面コンセント、テーブルタップ及び電工ドラムに家電製品、暖房器具及び電工工具等の様々な電化製品の差し込プラグを常時差込状態であるとき、屈曲疲労及び経年変化によって断線故障が多く発生する、これらの改善をするための提案である。【解決手段】壁面埋込コンセントのプレート面、テーブルタップ表面及び電工ドラム面、縁辺に電源コードのフック保持部を１か所又は複数か所設ける、したがって電源プラグをコンセント栓刃差込口に電源プラグを差込み、電源プラグの電源コードをやや弛ませながらフック保持部の挿脱口に挿入し保持する、よって電源コード全体が上下左右に振れたり、屈曲状態であってもフック保持部によって電源プラグたんの電源コードの振れを減少し、屈曲をなくすことから電源コードの芯線の断線を防ぐものである、また挿脱を容易な特徴のコード保持フック付コンセントである。【選択図】図１
2018110092.tif 000002
【特許請求の範囲】
【請求項１】
コンセントのプレート面に電源コードを挿脱できる挿脱口と保持できるフック保持部を一か所又は複数か所を取付け、電源プラグを前記コンセントの栓刃差込口に差込み前記電源コードを前記フック保持部に挿入し、保持することで前記電源プラグ端の電源コード芯線の断線を防ぐことを特徴とするコード保持フック付コンセント。
【請求項２】
テーブルタップのコンセント栓刃差込口の表面及び縁辺、又は電工ドラムのコンセント栓刃差込口側の表面又は縁辺に電源コードの挿脱し、保持できるフック保持部を一か所又は複数か所の取付けことを特徴とするコード保持フック付コンセント。
【請求項３】
前記フック保持部の挿脱口の上下の両端、あるいは一方の端に弾力の材質を設けることで前記電源コードの挿脱を容易にし、安定した保持することを特徴とする請求項１記載又は請求項２記載のコード保持フック付コンセント。
【請求項４】
前記フック保持部の取付軸を中心にして、前記フック保持部の挿脱口の向きを自在に変えるように設けたことを特徴とする請求項１記載又は請求項２記載のコード保持フック付コンセント。
【発明の詳細な説明】
【技術分野】
【０００１】
本発明は電気製品に電気供給をするため、壁面コンセント、テーブルタップに電気製品の電源プラグをコンセントの差込口に差し込んで電源プラグ電源コードの屈曲疲労等の経年変化による断線を防ぎ、電源コードの保護するコンセント器具に関する。
【背景技術】
【０００２】
従来、壁面コンセント、テーブルタップ及び電工ドラムに電気製品、暖房器具でアイロン、クリーナ、テレビ等又は電工工具で電気ドリル、電気カンナ、コンプレサー等の様々な電化製品の電源プラグを栓刃差込口に差込み電源供給をするが、電源プラグ端の電源コード部分が様々な上下左右に振動、揺れ又は無理な行為等により経年変化、屈曲疲労によって単線又は撚線の断線故障が多く発生する、又は撚線電源コードの部分的に断線した状態で、電気器具の動作電流によって加熱を発生し危険であった。
【０００３】
これらの改善をするため、壁面コンセント、及びテーブルタップ等に差込んだ電源プラグの電源コードの屈曲疲労による電源コードの断線を防ぐため、電気製品本体に装着される電源コードブッシングにおいて、電源コードを挟持して保護するとともに電気製品本体内側に位置する内側ブッシングと、内側ブッシングに外側から係合するとともに、電気製品本体外側に位置する外側ブッシングとを備え、内側ブッシングは、内方に位置するとともに電源コードに当接するフランジと、フランジから外側ブッシング側へ延びるとともに電源コードに当接する電源コード保護部とを有し、電源コード保護部の外面に、外側ブッシング側に向けて小径となる段部が設けられて、電源コード保護部が大径部と小径部とに区画され、外側ブッシングは、内側ブッシングのフランジに当接する一端部を有し、外側ブッシングは、大径部に嵌合するとともに、小径部との間に間隙が形成されることを特徴とする電源コードブッシングがある（例えば特許文献１参照）。
【０００４】
また、ＡＣアダプタ用ＤＣ電源コードにおけるブッシユ部分の電源コード断線の防止するものとして、電源コードの端部に非可撓性の一次モールドと可撓性の二次モールドとから成るプラグブッシュを設ける。二次モールドのうち電源コードを被覆している部分は、アダプタ本体方向に向けて先細にすることによってテーパー部が形成されている。そして、該テーパー部と、該テーパー部に内設されている電源コードとの間に間隙とした構造がある（例えば特許文献２参照）。
【先行技術文献】
【特許文献】
【０００５】
【特許文献１】特開２０１０−００９８７６号広報
【特許文献２】特開平８−２３６１９６号広報
【発明の概要】
【発明が解決しようとする課題】
【０００６】
しかし、特許文献１の発明は屈曲疲労の軽減をすることはできるが、電源プラグを壁面コンセント又はセイブルタップ等の挿入口に電源プラグ差込んで長期間の状態において、電源プラグの電源コードが上下左右に移動を繰り返すことでブッシング端部電源コードの芯線の撚線がブッシング端部の内側電源コード部に対して外側電源コードの左右上下の移動が激しい状態が繰り返され、ブッシング端部で屈曲疲労により撚線の線が少数あるいは数本ずつ切断をして全体が切れ断線をするものである。
【０００７】
また、特許文献２の発明において二次モールドのうち電源コードを被覆している部分は、アダプタ本体方向に向けて先細にすることによってテーパー部が形成されているが特許文献１の断線と同様にテーパー部の点部で断線は避けられないものである。
なお、特許文献１、２において、ブッシング、又はテーパー部のジャバラ部が柔軟に形成されてる状態においても中ほど屈曲疲労を起こし断線となるものである。
【課題を解決するための手段】
【０００８】
そこで本発明は、上記の課題になされたもので壁面に設けられたコンセント、テーブルタップ及び電工ドラムの栓刃差込口の一方の側面、上部又は下部に電源コードを保持するフック保持部を設け、栓刃差込口に電気製品の電源プラグを差込んで電源プラグ側の電源コードを弛ませながらフック保持部に挿入し、保持することで、電気製品側の電源コードの上下左右の振れや屈曲に対して電源プラグ側の電源コードはフック保持部で上下左右の振れや屈曲を大幅に吸収することで上下左右の揺れや屈曲が小さくなり電源プラグ端では振れ及び屈曲が抑えられることから電源コードの芯線の断線を防ぐことができる電源コードフック保持部を設けたコンセントを提供するものである。
【０００９】
上記の目的を達成するために、本発明はコンセントのプレート面に電源コードを挿脱できる挿脱口と保持できるフック保持部を一か所又は複数か所を取付け、電源プラグを前記コンセントの栓刃差込口に差込み前記電源コードを前記フック保持部に挿入し、保持することで、前記電源プラグ端の電源コード芯線の断線を防ぐことを特徴とする。
【００１０】
また、テーブルタップのコンセント栓刃差込口の表面及び縁辺、又は電工ドラムのコンセント栓刃差込口側の表面又は縁辺等に電源プラグの電源コードの挿脱し、保持できるフック保持部を一か所又は複数か所の取付けことを特徴とする。
【００１１】
また、前記フック保持部の挿脱口の上下の両端あるいは一方の端に弾力材を設けることで様々な電源コードの被覆の種類及び太さの電源コードの挿脱を容易にし、安定した保持することを特徴とする。
【００１２】
また、コンセントのプレート面、テーブルタップの表面、又は電工ドラムのコンセントの表面及び側面等の縁辺に設けたフック保持部の挿脱口の向きを取付軸中心にして自在に変えるように設けたことを特徴とする。
【００１３】
なお、同軸ケーブルのアンテナ壁面端子のプレート面に前記フック保持部を設けることで、同軸ケーブルによってテレビアンテナ端子とアンテナ壁面端子との接続した後、同軸ケーブルをフック保持部に掛けることで、様々なトラブル又は不意な行為によって壁面から外れたり、接触不良を防ぐことができる特徴がある。
【発明の効果】
【００１４】
以上の説明から明らかのように、本発明にあってはつぎに列挙する効果が得られる。
【００１５】
電化製品の電源コードを壁面コンセントに電源プラグ電源コード常時差込状態による、経年変化で屈曲疲労による電源プラグ側の電源コードの撚線の断線を防ぐことができる。
【００１６】
また、電源プラグの電源コード端が経年変化で屈曲疲労により撚線の一部が断線した状態で通電をすることで、電源コードが異常に加熱することを防ぐものである。
【００１７】
また、テーブルタップ及び電工ドラムの栓刃差込口に電源プラグを差込み各々の電気器具、工具の利用中において、上下左右に変化、振動が多い屈曲疲労の断線を防ぐものである。
【００１８】
また、同軸ケーブルのアンテナ壁面端子のプレート面にフック保持部に同軸ケーブルを掛けることで、ケーブルの振れによるトラブル、又は不意な行為によって壁面から外れたり、接触不良を防ぐことができる。
【００１９】
請求項３によれば、フック保持部の湾曲状先端部分に弾力材を設けることで、電源コードの被覆の種類で厚い材質、又は細い材質さらに芯線の太さも異なる様々な種類の電源コードを容易に挿脱ができるものである。
【００２０】
請求項４によれば、フック保持部の挿脱口の方向を、取付軸を中心に変えることで電源プラグ電源コードの引出し方向を自在に変えることでき、電源コードを無理な曲がりを防ぎ挿脱を容易にできる。
【図面の簡単な説明】
【００２１】
【図１】本発明の第一実施例の形態のフック保持部の図で、（Ａ）は側面図、（Ｂ）は電源コード挿脱口側の正面図、（Ｃ）は斜視図である。
【図２】第一実施例の形態のコンセントプレート面にフック保持部を留め具で取付る側面図である。
【図３】第一実施例の形態のコンセントプレート面にフック保持部を取付けた状態の正面図である。
【図４】第一実施例の形態の2連用コンセントプレート面にフック保持部を設けた正面図である。
【図５】第一実施例の形態のコンセントに電源プラグを差込み、電源コードをフック保持部に挿入し保持した正面図である。
【図６】図５の側面図である。
【図７】図５、図６のフック保持部に電源コードを挿脱口より挿脱の状態の拡大斜視図である。
【図８】第二実施例の形態のテーブルタップにフック保持部を設けた斜視図である。
【図９】第二実施例の形態の電工ドラムにフック保持部を設けた正面図である。
【図１０】第三実施例の形態におけるフック保持部のフック挿脱口上下端に弾力材を設けた図で（Ａ）は側面図、（Ｂ）は正面図、（Ｃ）は斜視図である。
【図１１】第三実施の形態のフック保持部のフック挿脱口上端５及び６の先端部を弾力材で形成した図で、図１１の（Ａ）は側面図、図１１の（Ｂ）は電源コードを挿脱口で出し入れする状態である。
【図１２】第四実施例の形態において、フック保持部の挿脱口側の方向を自在に変える図で、（Ａ）は挿脱口の方向を変える状態の図（Ｂ）は挿脱口を変えて、電源コードを保持した状態の要部正面図である。
【図１３】第四施例の形態において、着脱自在のフック保持部の図で、（Ａ）はカヌークリップ状をプレートのクリップ孔に差込む状態の要部斜視図、（Ｂ）はプレート面に装着した状態の要部側面図である。
【図１４】第四実施例の形態において、スナップボタン状で着脱自在のフック保持部の図で、（Ａ）は装着する要部側面図、（Ｂ）は装着した要部側面図である。
【図１５】フック保持部において。挿脱口を上部に設けたＵ型フック保持部の側面図である。
【発明を実施するための形態】
【００２２】
本発明の実施例の形態について図面を参照して説明する。
【００２３】
最初に、本発明の第一実施例の形態について図１ないし図７を参照して説明する。
図１は本発明の第一実施例の形態の電源コードを保持するフック保持部の図で、図１の（Ａ）は側面図、図１の（Ｂ）は電源コード挿脱口側の正面図、図１の（Ｃ）は斜視図である。
図２は第一実施例の形態のコンセントプレート面にフック保持部の留め具を用いで取付る状態の側面図である。
図３は第一実施例の形態の壁面コンセントのコンセントプレート面にフック保持部を２か所に取付けた正面図である。
図４は第一実施例の形態の壁面2連用コンセントプレート面にフック保持部を四か所取り付けた正面図である。
図５は第一実施例の形態の壁面のコンセントの栓刃差込口に電源プラグを差込み、電源コードを弛ませながらフック保持部に挿入し保持した正面図である。
図６は図５の側面図である。
図７は図５のフック保持部に電源コードを弛ませながら挿脱口より挿入する状態から点線に示すように電源コードをフック保持部の湾曲状に保持した拡大斜視図である。
【００２４】
図１ないし図７に示す如く、１は電源コード１３を保持するフック保持部で４は電源コード１３を挿入するフック保持部１の挿脱口、フック保持部は挿脱口４より電源コード１３を挿入し保持する湾曲状４Ａ形成し、５は挿脱口４のフック挿脱口上端、６は挿脱口４のフック挿脱口下端である、３は壁面のコンセント７のプレートで１１はフック保持部２をプレート７面に取付ける留め具である、また３Ａは壁面の２連用コンセントのプレートで、９はテレビターミナル、１０はＦ型接栓端子である、図５にいて１２は栓刃差込口８に差込んだ電源プラグ、１３は電源コード、１４は壁面、１２Ａは電源プラグ１２の栓刃である。
【００２５】
よって、図１は構造のフック保持部１は挿脱口４と湾曲状４Ａを形成し、電源コード１３を挿脱口４より挿入し、湾曲状４Ａで電源コード１３を保持することができる。
【００２６】
なお、フック保持部１の材質は樹脂材、金属材及び複合材料で形成する。
【００２７】
図２、図３に示すようにフック保持部１をコンセント７のプレート３面に取付け、取付において栓刃差込口８の側面と上側又は下側にフック保持部１を取付ける、フック保持部１をプレート１の側面に取付けの挿脱口４は下向きに取付ける、フック保持部１をプレート３を下側に取付けの挿脱口４は横方向に取付けた１連用のプレート３である、また図４に示すように、2連用プレート３Ａ面に４か所にフック保持部１を取付けた埋込２連用コンセントのプレート３Ａである。
【００２８】
上記の構成により本発明の第一実施例は図１、図２のフック保持部１を取付けた埋込のコンセント７のプレート３面において、図３、図４に示すようにプレート３の面に取付け状態にして、図５から図７に示しように電源プラグ１２をコンセント７の栓刃差込口４に挿入、電源プラグ１２の端よりの電源コード１３をやや弛ませながら、フック保持部１の挿脱口４より挿入し湾曲状４Ａにおいて電源コード１３を保持する。
【００２９】
よって、フック保持部１おいて電源コード１３を図５、図６に示すように、電源コード１３を弛ませながら挿脱口４より挿入し、湾曲状４Ａで保持する、電源プラグ１２側の電源コード１３を弛ませて保持し、やや緩めで保持状態をすることで、フック保持部１の電気器具の器具側の電源コード１３が様々な上下左右の振動、振れの屈曲疲労に対し、フック保持部１によって器具側の電源コードが激しい振動や揺れ変化の屈曲に対し、すなわち器具側の電源コード１３に加わる屈曲の応力に対して、フック保持部１より電源プラグ１２側においての振動、揺れ変化及び屈曲応力は減少することから電源プラグ１２端の電源コード１３に屈曲疲労は物理的に負担をかけること減少することで電源プラグ１２端の断線及び撚線の部分断線を防ぐことができる.
【００３０】
ここで、図５、図６に示すように、電源プラグ１２側の電源コード１３を弛ませてフック保持部１で、やや緩めに保持することで電源コード１３の断線を防ぐことは、フック保持部１より電気器具側の電源コード１３が大きく屈曲、揺れたりしてフック保持部１付近の電源コード１３の芯線電線に無理な折れ曲がりの負荷をかけようとするが、フック保持部１の湾曲状４Ａは電源コード１３の保持状態はやや緩めの構造にすることで、電源プラグ１２側の電源コード１３は屈曲、揺れの負荷を減少することができ、フック保持部１と電源プラグ１２間の電源コード１３の揺れを弱くし、屈曲を防いだ状態となることから電源ラグ１２の縁部の電源コード１３には屈曲疲労、揺れの影響がなくなり断線を防ぐことができる。
【００３１】
しかし、フック保持部１で電源コード１３の保持が余裕のない保持で強い挟持状態であるとフック保持部１で揺れ、振動を抑えることからフック保持部１端での電気器具側の電源コード１３は屈曲疲労となり断線の可能性となる。
【００３２】
また、本発明の第二実施例について図８、図９を参照して説明する。
図８は本発明の第二実施例の形態のテーブルタップに第一実施例と同様にフック保持部を設けた斜視図である。
図９は第二実施例の形態の電工ドラムに第一実施例と同様にフック保持部を設けた正面図である.
【００３３】
図８、図９に示す如く、２Ａはテーブルタップで、１Ａはテーブルタップ２Ａの面に設けたフック保持部、７Ａはコンセント，８Ａは栓刃差込口、１３Ａはテーブルタップ７Ａの電源コードである。
また、２Ｂは電源コードを巻き取り式の電工ドラムで、１Ｂは電工ドラム２Ｂの面に設けたフック保持部、７Ｂはコンセント、１６は電工ドラムに設けた台座、１７は電源コードの巻き取り用巻手ハンドルである。
【００３４】
図８のテーブルタップ２Ａに取付けたフック保持部１Ａをコンセント７Ａの栓刃差込口８Ａの縁辺、に取付ける、また図９の電工ドラム２Ｂのコンセント７Ｂの栓刃差込口８Ｂの一方の縁辺及び上部又は下部に電源コード１３を保持するフック保持部１Ａ又はフック保持部１Ｂを設ける。
【００３５】
上記の構成により本発明の第二実施例はテーブルタップ２Ａの面でコンセント７Ａの栓刃差込口８Ａの縁辺及び電工ドラム２Ｂのコンセント７Ｂの栓刃差込口８Ｂの一方の縁辺及び上部又は下部に電源コード１３を保持するフック保持部１Ａ又はフック保持部１Ｂを夫々設けることで、栓刃差込口８Ａ又は栓刃差込口８Ｂに電気製品、電気工具等の電源プラグ１２を差込んで電源プラグ１２側の電源コード１３を弛ませながらフック保持部１Ａ、１Ｂの挿脱口４に挿入し保持する、挿入時にやや緩めに保持状態とする。
【００３６】
電源プラグ側の電源コード１３をフック保持部１Ａ、１Ｂの湾曲状に弛ませて保持し、やや緩めで保持状態をすることで、フック保持部１Ａ、１Ｂの電気器具、電気工具側の電源コード１３が様々な上下左右の振動、振れの屈曲疲労に対し、フック保持部１Ａ、１Ｂによって電気器具、工具側の電源コードが激しい振動や揺れ変化及び屈曲に対し、すなわち器具側の電源コード１３に加わる屈曲の応力に対して、フック保持部１より電源プラグ１２側においての振動、揺れ変化及び屈曲応力は減少することから電源プラグ１２端の電源コード１３に屈曲疲労は物理的に負担をかけること減少することで電源プラグ１２端の断線及び撚線の部分断線を防ぐことができる。
【００３７】
また、本発明の第三実施例について図１０、図１１を参照して説明する。
図１０は本発明の第三実施例の形態の電源コード１３を保持するフック保持部のフック挿脱口上端５及びフック挿脱口下端６に弾力材を取付けた状態の図で、図１０の（Ａ）は側面図、図１０の（Ｂ）は電源コード挿脱口側の正面図、図１０の（Ｃ）は斜視図である。
図１１は第三実施の形態の電源コードを保持するフック保持部１Ｃのフック挿脱口上端５及びフック挿脱口下端６の先端部を弾力材で形成した状態の図である。図１１の（Ａ）は側面図、図１１の（Ｂ）は電源コード１３を挿脱口４で出し入れする。
【００３８】
図１０、図１１に示すが如く、図１０のフック挿脱口上端５に弾力材を設けた上端弾力材５Ａ及びフック挿脱口下端６に弾力材を設けた下端弾力材６Ａ、また挿脱口４、湾曲状４Ａのフック保持部１Ｃである、また図１１の電源コード１３を保持するフック保持部のフック挿脱口上端５及びフック挿脱口下端６の先端部を弾力材の弾力性上端５Ｂで弾力性下端６Ｂ形成したフック保持部１Ｃである.
【００３９】
なお、フック保持部１の材質をシリコン樹脂材等の弾力性の材質を用いて形成することで、湾曲状４Ａの上端先端及び下端先端はシリコンの弾力性により容易に前後に変化することから挿脱が容易にできる。
【００４０】
図１０、図１１に示した挿脱口上下端５及び６に弾力材を設けたフック保持部１Ｃで、フック保持部１Ｃをコンセント７のプレート３、テーブルタップ２Ａ又は電工ドラム２Ｂに取付けることで、挿脱口上端弾力材５Ａ、又は弾力性上端５Ｂ、挿脱口下端弾力材６Ａ又は弾力性下端６Ｂは挿脱口４より電源コード１３を挿入、取出すとき図の矢印の示すよう前後、柔軟に動作し、さらに細い電源コード１３を挿脱口上下端弾力材５Ａ、６Ａ又は弾力性上下端５Ｂ、６Ｂによって挿脱口４より飛び出さないように安定して保持することができる。
【００４１】
また、フック保持部１Ｃのフック挿脱口上端５とフック挿脱口下端６に設ける弾力材をフック挿脱口上端５のみに上端弾力材５Ａ設けるか、あるいはフック挿脱口下端６のみに下端弾力材６Ａを設けるように、一方の端にのみに設けることもフック挿脱口上下端に設けることと効果は同様である。
【００４２】
上記の構成により本発明の第三実施例はコンセントプレート３、テーブルタップ２Ａ又は電工ドラム２Ｂに取付けたフック保持部１Ｃにおいて、フック挿脱口上端５の上端弾力材５Ａ及びフック挿脱口下端６の下端弾力材６Ａ、またはフック挿脱口上端５及びフック挿脱口下端６の先端部を弾力材の弾力性上端５Ｂで弾力性下端６Ｂ形成したフック保持部１Ｃである。
【００４３】
したがって、フック挿脱口上端５及びフック挿脱口下端６の先端部を弾力材の弾力性上端５Ｂで弾力性下端６Ｂ形成したフック保持部１Ｃである、またはフック挿脱口下端６のみに下端弾力材６Ａを設けることもフック挿脱口上下端に設けること、あるいはフック保持部１の材質をシリコン樹脂材等の弾力性の材質を用いて形成する。
ここで、電源ケーブルの種類は袋内電源コード、ケロロクレン絶縁電源コード、ビニールキャプタイヤ及びゴムキャプタイヤ電源コード等の芯線の撚線の細さ、太さ等で電源コードの外径も異なるものである、これらの電源コード１３を安定した保持状態を保った湾曲状４Ａの先端部が弾力を備えることで電源コード１３の様々な種類の挿脱を容易にし、細いものから太い外形の電源コード１３を湾曲状４Ａで安定した状態で保持する.
【００４４】
よって、壁面コンセント７、テーブルタップ２Ａの面でコンセント７Ａ及び電工ドラム２Ｂのコンセント７Ｂの面等に夫々栓刃差込口８、８Ａ又は８Ｂに電気製品、電気工具等の電源プラグ１２を差込んで電源プラグ１２の電源コード１３を弛ませながらフック保持部１Ｃの挿脱口４より挿脱して湾曲状４Ａで保持する、挿入とき、図１０、図１１を示すように、太い外形の電源コード１３を挿脱口４よりＢの矢印方向に挿入すると、ｂ１、ｂ２の矢印方向に曲がり挿入することができる、また電源コード１３をＡの矢印方向に取り出すときａ１、ａ２の矢印方向に曲がることで挿脱が容易である。
さらに、挿脱口４の先端が弾力性を有ることから挿脱口４を狭くすることが可能であることから、細い電源コード１３でも挿脱口４より出ることなく安定して保持するこができる。
【００４５】
また、本発明の第四実施例について、図１２、図１３及び図１４を参照して説明する。
図１２は第四実施例の形態においてフック保持部の挿脱口の向きを変更できる図で、（Ａ）は挿脱口の向きを変える状態の図である、（Ｂ）は向きを変えた挿脱口に電源コードを保持した状態の要部正面図である。
図１３は第四施例の形態において、着脱自在のフック保持部の図で、（Ａ）はカヌークリップ状をプレートのクリップ孔に差込む状態の要部斜視図、（Ｂ）はプレート面に装着した状態の要部側面図である。
図１４は第四実施例の形態において、スナップボタン状で着脱自在のフック保持部の図で、（Ａ）は装着する要部側面図、（Ｂ）は装着した要部側面図である.
【００４６】
図１２、図１３及び図１４に示すが如く、壁面コンセント７のプレート面３、テーブルタップ２Ａの面でコンセント７Ａ及び電工ドラム２Ｂのコンセント７Ｂの面及び縁辺等に挿脱口4の向きを変化できるフック保持部１Ｄ、１Ｅ又は１Ｘを取付ける、図１２のフック保持部１Ｄは底面にカヌークリップ状２３Ａを設けて、プレート３面、コンセント７、７Ａ、７Ｂの縁辺の取付部分にクリップ孔２３Ｂを設ける。
また、図１４のフック保持部１Ｅは底面にスナップボタン状凹２４Ａを設けて、プレート３面、コンセント７Ａ、７Ｂの縁辺の取付部分にスナップボタン状凸を設ける。
【００４７】
上記の構成により本発明の第四実施例はコンセントプレート３、テーブルタップ２Ａ又は電工ドラム２Ｂのコンセント７Ａ、７Ｂ面、縁辺等に取付けたフック保持部１Ｘ、フック保持部１Ｄ及びフック保持部１Ｅにおいて、図１３のフック保持部１Ｄの底面に設けたカヌークリップ状２３Ａを取り付け部分のクリップ孔２３Ｂに上から挿設する、挿設したフック保持部１Ｄの挿脱口４の向きを変えることができ、さらに強く引き抜くことでカヌークリップ状２３Ａをクリップ２３Ｂより抜くことができる。
また、図１４のフック保持部１Ｅの底面に設けたスナップボタン状凹２４Ａを取り付け部分のスナップボタン状凸２４Ｂに嵌脱自在に設ける、嵌挿したフック保持部１Ｅの挿脱口４の向きを自在に変えることができ、さらにスナップボタン状凹２４Ａをスナップボタン状凸２４Ｂより取り外すこともできるものである。
【００４８】
したがって、電気器具の位置により電源コード１３を無理のない方向に合わせて、挿脱口４の方向を自在に変えて、電源コード１３を挿入し、湾曲状４Ａで保持をする。
また、電源コード１３の延長線上が無理な衝撃により引っ張られて電源プラグ１３又はコンセント７、７Ａ、７Ｂ等に破損を生じるとき、取り付けられたフック保持部１Ｄのカヌ―クリップ状２３Ａはクリップ孔２３Ｂより離脱し衝撃を減少する、、同様にフック保持部１Ｅのスナップボタン状凹２４Ａがスナップボタン凸２４Ｂより離脱し衝撃を減少することで電源プラグ１３及びコンセント７、７Ａ、７Ｂ側等に破損を防ぐ作用をすることができる.
【００４９】
なお、図１５に示すように、フック保持部において、基部２２の底面側をコンセントプレート面に取付ける、また挿脱口４をやや斜め上部に設けたＵ型フック保持部１Ｙの側面図で、挿脱口４の両端の一方が弾力性を有する挿脱口弾力性端部２０を形成し、電源コードを上から挿入し保持する構造である。
【００５０】
さらに、フック保持部１について挿脱口４を斜め下向きにし、電源コード１３の挿脱と湾曲状４Ａでの保持を容易にする。
【符号の説明】
【００５１】
１、1A、1B、1C、1D、1E、1Xはフック保持部
2Aはテーブルタップ
2Bは電工ドラム
３はプレート
3Aは2連用プレート
４は挿脱口
4Aは湾曲状
５はフック挿脱口上端
5Aは上端弾力材
5Bは弾力性上端
６はフック挿脱口下端
6Aは下端弾力材
6Bは弾力性下端
７、7A、7Bはコンセント
８、8A、8Bは栓刃差込口
９はテレビターミナル
10はＦ型接栓端子
11は留め具
12は電源プラグ
12Aは栓刃
13は電源コード
13Aはテーブルタップ電源コード
14は壁
15は取手
16は台座
17は巻手ハンドル
1Xは回動フック保持部
1YはＵ型フック保持部
20は挿脱口弾力性端部
21は挿脱口端部
22は基部
23Aはカヌークリップ状
23Bはクリップ孔
24Aはスナップボタン状凹
24Bはスナップボタン状凸
【図１】
2018110092.tif 000003
【図２】
2018110092.tif 000004
【図３】
2018110092.tif 000005
【図４】
2018110092.tif 000006
【図５】
2018110092.tif 000007
【図６】
2018110092.tif 000008
【図７】
2018110092.tif 000009
【図８】
2018110092.tif 000010
【図９】
2018110092.tif 000011
【図１０】
2018110092.tif 000012
【図１１】
2018110092.tif 000013
【図１２】
2018110092.tif 000014
【図１３】
2018110092.tif 000015
【図１４】
2018110092.tif 000016
【図１５】
2018110092.tif 000017